(57)【要約】      （修正有）【課題】裁断中のカーリング及びほつれ現象の発生を効果的に回避でき、便利且つ快適に使用できる、カーリングしにくく且つ任意裁断可能な生地を提供する。【解決手段】本発明はカーリングしにくく且つ任意裁断可能な生地を開示し、生地本体を含み、生地本体は、複数本の相互に編み合う第１糸と第２糸を含み、各本の第１糸は１ニードルおきに、順番にラッピングしてループになり、それによって、第１糸で編まれた経編組織はコード編組織として構成され、前記コード編組織のアンダーラップは２つのゲージをまたがり、コード編組織を面組織とし、各本の第２糸は２枚の隣接するニードル上に同時にラッピングしてループに編まれ、それによって、第２糸で編まれた経編組織は経畝編組織として構成され、経畝編組織を地組織とし、前記面組織と地組織を複合して前記生地本体を構成する。【選択図】図１
2020190062.tif 000002
【特許請求の範囲】
【請求項１】
カーリングしにくく且つ任意裁断可能な生地であって、生地本体を含み、前記生地本体は、複数本の相互に編み合う第１糸と第２糸を含み、各本の第１糸は１ニードルおきに、順番にラッピングしてループになり、それによって、第１糸で編まれた経編組織はコード編組織として構成され、前記コード編組織のアンダーラップは２つのゲージをまたがり、前記コード編組織を面組織とし、各本の第２糸は２枚の隣接するニードル上に同時にラッピングしてループに編まれ、それによって、第２糸で編まれた経編組織は経畝編組織として構成され、前記経畝編組織を地組織とし、前記面組織と地組織を複合して前記生地本体を構成することを特徴とするカーリングしにくく且つ任意裁断可能な生地。
【請求項２】
前記コード編組織は閉じコード編組織であり、前記経畝編組織は開き経畝編組織であることを特徴とする請求項１に記載のカーリングしにくく且つ任意裁断可能な生地。
【請求項３】
前記閉じコード編組織のラッピング番号は１−０／２−３／／であり、前記開き経畝編組織のラッピング番号は３−１／０−２／／であることを特徴とする請求項２に記載のカーリングしにくく且つ任意裁断可能な生地。
【請求項４】
前記コード編組織は閉じコード編組織であり、前記経畝編組織は閉じ経畝編組織であることを特徴とする請求項１に記載のカーリングしにくく且つ任意裁断可能な生地。
【請求項５】
前記閉じコード編組織のラッピング番号は１−０／２−３／／であり、前記閉じ経畝編組織のラッピング番号は２−０／１−３／／であることを特徴とする請求項４に記載のカーリングしにくく且つ任意裁断可能な生地。
【請求項６】
前記第１糸をポリアミド糸として設置し、前記第２糸をスパンデックス糸として設置することを特徴とする請求項１から５のいずれか一項に記載のカーリングしにくく且つ任意裁断可能な生地。
【請求項７】
前記生地本体はさらに、複数本の第３糸を含み、各本の第３糸は地組織としての経畝編組織のニードルループとアンダーラップとの間に周期的に挿入されてループを作らず、それによって、第３糸で編まれた経編組織は緯入れ編組織として構成されることを特徴とする請求項１から請求項６のいずれか一項に記載のカーリングしにくく且つ任意裁断可能な生地。
【請求項８】
前記緯入れ編組織は局部緯入れ編組織であることを特徴とする請求項７に記載のカーリングしにくく且つ任意裁断可能な生地。
【請求項９】
前記局部緯入れ編組織は１ゲージの緯入れ編組織であることを特徴とする請求項８に記載のカーリングしにくく且つ任意裁断可能な生地。
【請求項１０】
前記生地本体は双方向弾性伸縮特性を有する生地本体であることを特徴とする請求項１から９のいずれか一項に記載のカーリングしにくく且つ任意裁断可能な生地。
【発明の詳細な説明】
【技術分野】
【０００１】
本発明は編地の技術分野に関し、より具体的には、カーリングしにくく且つ任意裁断可能な生地に関する。
【背景技術】
【０００２】
従来の編地は、裁断して服を作る場合、カーリング、ほつれなどの現象が常に現れるため、常に生地の縁縫いところ及び裁断された後の生地の周辺位置に対してパイピング加工を行う必要があり、服装業界では、「パイピング」は「裁ち目かがり」とも呼ばれる。パイピング加工は生地のほつれを防止できるが、生地を裁断するたびにパイピング加工を必要とするため、生地の裁断損失が大きい。生地の裁断損失を減少させるために、パイピングをした生地の位置に限り可能に沿って裁断する必要があり、このように、裁断の角度及び方位が制限されて、不便になり、また、パイピングをした後の生地で作られた下着は、着ると、肌に下着の跡が残るため、快適性が低く、外観性が低い。
【発明の概要】
【発明が解決しようとする課題】
【０００３】
本発明は従来技術の上記欠陥を解決すべくなされたものであり、裁断中のカーリング及びほつれ現象の発生を効果的に回避でき、便利且つ快適に使用できる、カーリングしにくく且つ任意裁断可能な生地を提供する。
【課題を解決するための手段】
【０００４】
上記目的を実現するために、本発明はカーリングしにくく且つ任意裁断可能な生地を提供し、生地本体を含み、前記生地本体は、複数本の相互に編み合う第１糸と第２糸を含み、各本の第１糸は１ニードルおきに、順番にラッピングしてループになり、それによって、第１糸で編まれた経編組織はコード編組織として構成され、前記コード編組織のアンダーラップは２つのゲージをまたがり、前記コード編組織を面組織とし、各本の第２糸は２枚の隣接するニードル上に同時にラッピングしてループに編まれ、それによって、第２糸で編まれた経編組織は経畝編組織として構成され、前記経畝編組織を地組織とし、前記面組織と地組織を複合して前記生地本体を構成する。
【０００５】
好ましい実施例形態として、前記コード編組織は閉じコード編組織であり、前記経畝編組織は開き経畝編組織である。
【０００６】
好ましくは、前記閉じコード編組織のラッピング番号は１−０／２−３／／であり、前記開き経畝編組織のラッピング番号は３−１／０−２／／である。
【０００７】
別の好ましい実施例形態として、前記コード編組織は閉じコード編組織であり、前記経畝編組織は閉じ経畝編組織である。
【０００８】
好ましくは、前記閉じコード編組織のラッピング番号は１−０／２−３／／であり、前記閉じ経畝編組織のラッピング番号は２−０／１−３／／である。
【０００９】
好ましくは、前記第１糸をポリアミド糸として設置し、前記第２糸をスパンデックス糸として設置する。
【００１０】
別の好ましい実施例形態として、前記生地本体はさらに、複数本の第３糸を含み、各本の第３糸は地組織としての経畝編組織のニードルループとアンダーラップとの間に周期的に挿入されてループを作らず、それによって、第３糸で編まれた経編組織は緯入れ編組織として構成される。
【００１１】
好ましくは、前記緯入れ編組織は局部緯入れ編組織である。
【００１２】
好ましくは、前記局部緯入れ編組織は１ゲージの緯入れ編組織である。
【００１３】
好ましくは、前記生地本体は双方向弾性伸縮特性を有する生地本体である。
【発明の効果】
【００１４】
本発明の第１糸で編まれたコード編組織構造は面組織であり、横方向の安定性が高く、延伸性と弾性が適当であり、表面が平滑であり、柔らかい風合いを持ち、第２糸で編まれた経畝編組織構造は地組織であり、ほつれにくく、弾性が高く、２種類の組織を複合してなった織物生地は、弾性が高く、ループが相互にかみ合い、ほつれにくく、２種類の組織が複合され、底面のループの応力がバランスよく、生地のカーリングを防止できる。本発明は、裁断中のカーリング及びほつれ現象の発生を効果的に回避でき、使用しやすく、人の肌に跡を残すことなく、快適性が高い。
【図面の簡単な説明】
【００１５】
本発明の実施例又は従来技術における技術的解決手段をより明確に説明するために、以下、実施例又は従来技術の説明に必要な図面について簡単に説明し、当然ながら、以下の説明における図面は本発明のいくつかの実施例であり、当業者であれば、創造的な労力をせず、これらの図面に基づいて他の図面を得ることができる。
【図１】本発明の実施例にて提供される１種目の生地の編み合い構造を示す模式図である。
【図２】本発明の実施例にて提供される１種目の生地の２種類の糸の構造を示す模式図である。
【図３】本発明の実施例にて提供される２種目の生地の２種類の糸の構造を示す模式図である。
【図４】本発明の実施例にて提供される３種目の生地の２種類の糸の構造を示す模式図である。
【図５】本発明の実施例にて提供される３種目の生地の第２糸と第３糸との編み合い構造を示す模式図である。
【発明を実施するための形態】
【００１６】
本発明の実施例の目的、技術的解決手段及び利点をより明確にするために、以下、本発明の実施例における図面を参照しながら、本発明の実施例における技術的解決手段について明確且つ完全に説明し、当然ながら、説明される実施例は本発明の実施例の一部であり、すべての実施例ではない。本発明における実施例に基づいて、当業者が創造的な労力をせず得たすべての他の実施例は、いずれも本発明の範囲として保護されるべきものである。
【００１７】
＜実施例１＞
図１と図２に示すように、本発明の実施例１はカーリングしにくく且つ任意裁断可能な生地を提供し、生地本体を含み、生地本体は複数本の経編技法で編み合ってなった第１糸１１（前筬ＧＢ１）と第２糸１２（後筬ＧＢ２）を含み、第１糸１１は、好ましくはポリアミド糸として設置され、第２糸１２は、好ましくはスパンデックス糸として設置される。
【００１８】
ポリアミド繊維（ポリアミド系合成繊維）は、俗にナイロン（Ｎｙｌｏｎ）とも呼ばれ、その著しい利点として、耐摩耗性がすべての他の繊維より高く、棉の耐摩耗性より１０倍高く、羊毛より２０倍高い。３−６％まで伸びられる場合、弾性の回復率が１００％である。万回折ったり撓んだりしても割れず、耐疲労性が様々な繊維の首位にランクされる。
【００１９】
スパンデックス繊維（Ｐｏｌｙｕｒｅｔｈａｎｅ  Ｆｉｂｅｒ）はポリウレタン弾性繊維の略称であり、一般的にＰＵと記され、ブロック共重合体であり、その共重合体長鎖はソフトセグメントとハードセグメントで構成される。繊維構造中のソフトセグメントがポリエステルかポリエーテルに基づいて、ポリエステル系とポリエーテル系の２種類に分けられる。スパンデックス繊維は、常に４００％〜８００％伸びることができ、弾性の回復性能が非常に高く、５０％伸びる場合は、回復率が９９％を超える。スパンデックスは高い耐化学薬品性を有し、例えば、酸塩基、有機溶媒、ドライクリーニング剤、漂白剤などに耐える。
【００２０】
当然ながら、実際のニーズに応じて、他の原料で作られた糸を用いてもよく、本実施例に限定されるものではない。
【００２１】
経編技法の編み合いとは、二重の筬を全部通すことによる編み合いであり、筬は経編機のガイド機構の名称であり、模様編み用筬と地筬に分けられる。
【００２２】
図２に示すように、各本の第１糸１１は１ニードルおきに順番にラッピングしてループになり、それによって、第１糸１１で編まれた経編組織はコード編組織として構成され、該コード編組織のアンダーラップは２つのゲージをまたがり、該コード編組織は閉じコード編組織であり、そのループは閉じループであり、即ち、ループの基部のアンダーラップが相互に交差する。閉じコード編組織を面組織とする。
【００２３】
ここで、閉じコード編組織のラッピング番号は１−０／２−３／／であり、ラッピング番号中の数字は針間順番であり、各横列の間の番号は「／」で分割され、１つの完全な組織の後は「／／」で終了する。
【００２４】
図２に示すように、各本の第２糸１２は２枚の隣接するニードル上に同時にラッピングしてループに編まれ、それによって、第２糸１２で編まれた経編組織は経畝編組織と構成され、該経畝編組織は開き経畝編組織であり、そのループは開きループであり、即ち、ループの基部のアンダーラップは相互に交差しない。開き経畝編組織を地組織とする。
【００２５】
ここで、開き経畝編組織のラッピング番号は３−１／０−２／／である。
【００２６】
図１に示すように、本実施例において、面知識と地組織は複合して前記生地本体を構成することができ、該生地本体は双方向弾性伸縮性特徴を有する生地本体である。
【００２７】
２種類の組織を複合してなされた織物生地は、弾性が高く、ループが相互にかみ合い、ほつれにくく、２種類の組織が複合され、底面のループの応力がバランスよく、生地のカーリングを防止できる。
【００２８】
＜実施例２＞
図３に示すように、本発明の実施例２はカーリングしにくく且つ任意裁断可能な生地を提供し、生地本体を含み、生地本体は複数本の経編技法で編み合ってなった第１糸２１と第２糸２２を含み、第１糸２１、好ましくはポリアミド糸として設置され、第２糸２２は、好ましくはスパンデックス糸として設置される。
【００２９】
図３に示すように、各本の第１糸２１は１ニードルおきに順番にラッピングしてループになり、それによって、第１糸２１で編まれた経編組織はコード編組織として構成され、該コード編組織のアンダーラップは２つのゲージをまたがり、該コード編組織は閉じコード編組織であり、そのループは閉じループであり、即ち、ループの基部のアンダーラップが相互に交差し、閉じコード編組織を面組織とする。閉じコード編組織のラッピング番号は１−０／２−３／／である。
【００３０】
図３に示すように、各本の第２糸２２は２枚の隣接するニードル上に同時にラッピングしてループに編まれ、それによって、第２糸２２で編まれた経編組織は経畝編組織と構成され、該経畝編組織は閉じ経畝編組織であり、そのループは閉じループであり、即ち、ループの基部のアンダーラップは相互に交差する。閉じ経畝編組織のラッピング番号は２−０／１−３／／である。閉じ経畝編組織を地組織とする。
【００３１】
本実施例において、面知識と地組織は複合して前記生地本体を構成することができ、該生地本体は双方向弾性伸縮性特徴を有する生地本体である。
【００３２】
２種類の組織を複合してなされた織物生地は、弾性が高く、ループが相互にかみ合い、ほつれにくく、２種類の組織が複合され、底面のループの応力がバランスよく、生地のカーリングを防止できる。
【００３３】
＜実施例３＞
図４に示すように、本発明の実施例３はカーリングしにくく且つ任意裁断可能な生地を提供し、生地本体を含み、生地本体は複数本の経編技法で編み合ってなった第１糸３１、第２糸３２及び第３糸３３を含み、第１糸３１は、好ましくはポリアミド糸として設置され、第２糸３２は、好ましくはスパンデックス糸として設置され、第３糸３３は、好ましくはポリアミド糸又はスパンデックス糸として設置され、当然ながら、他の弾性糸又は非弾性糸を用いてもよい。
【００３４】
図４に示すように、各本の第１糸３１は１ニードルおきに順番にラッピングしてループになり、それによって、第１糸３１で編まれた経編組織はコード編組織として構成され、該コード編組織のアンダーラップは２つのゲージをまたがり、該コード編組織は閉じコード編組織であり、そのループは閉じループであり、即ち、ループの基部のアンダーラップが相互に交差し、閉じコード編組織を面組織とする。閉じコード編組織のラッピング番号は１−０／２−３／／である。
【００３５】
図４に示すように、各本の第２糸３２は２枚の隣接するニードル上に同時にラッピングしてループに編まれ、それによって、第２糸３２で編まれた経編組織は経畝編組織と構成され、該経畝編組織は閉じ経畝編組織であり、そのループは閉じループであり、即ち、ループの基部のアンダーラップは相互に交差する。閉じ経畝編組織のラッピング番号は２−０／１−３／／である。閉じ経畝編組織を地組織とする。
【００３６】
図４及び図５に示すように、各本の第３糸３３は地組織としての経畝編組織のニードルループとアンダーラップとの間に周期的に挿入されてループを作らず、それによって、第３糸３３で編まれた経編組織は緯入れ編組織として構成される。本実施例において、該緯入れ編組織は局部緯入れ編組織を用いる。具体的に実施する際、該局部緯入れ編組織は、好ましくは１ゲージの緯入れ編組織であり、当然ながら複数ゲージを用いてもよい。
【００３７】
本実施例において、面知識と緯入れ編組織と地組織は複合して前記生地本体を構成することができ、該生地本体は双方向弾性伸縮性特徴を有する生地本体である。
【００３８】
３種類の組織を複合してなされた織物生地は、弾性が高く、ループが相互にかみ合い、ほつれにくく、３種類の組織が複合され、底面のループの応力がバランスよく、生地のカーリングを防止でき、緯入れ編組織の延伸性が低く、良好な横方向弾性を有し、製品の模様を拡大できる。
【００３９】
以上まとめると、本発明の生地は裁断中のカーリング及びほつれ現象の発生を効果的に回避でき、使用しやすく、人の肌に跡を残すことなく、快適性が高い。
【００４０】
上記実施例は本発明の好適な実施形態であり、しかしながら、本発明の実施形態は上記実施例に限定されるものではなく、本発明の精神実質及び原理を逸脱せず行われたあらゆる変化、修飾、代替、組み合わせ及び簡略化は、いずれも等価の置換方式であり、すべて本発明の範囲として保護されるべきものである。
【符号の説明】
【００４１】
１１，２１，３１…第１糸、１２，２２，３２…第２糸、３３…第３糸
【図１】
2020190062.tif 000003
【図２】
2020190062.tif 000004
【図３】
2020190062.tif 000005
【図４】
2020190062.tif 000006
【図５】
2020190062.tif 000007